(57)【要約】【課題】必要数の錠剤を安定して取り出すことが出来ると共に必要数以上の余った錠剤を容器内に確実・容易に戻すことが出来る錠剤容器を提供する。【解決手段】キャップ１０の内筒部１２の下端から滑らかに連続して径方向内側に向かって上方に傾斜してその中央部に貫通穴１６ａが形成されるように環状傾斜板１６を構成する。また、環状傾斜板１６の周方向または／および径方向の所定区間において径方向中心に向かって下方に傾斜する低床部１６ｂを設ける。なお、貫通穴１６ａの径は、錠剤が通過することができ且つ必要数を含む所定量の錠剤が環状傾斜板上に貯留することが出来る大きさであれば良く、それ以外貫通穴１６ａの径は特に限定されない。また、環状傾斜板１６の傾斜角についても所定量の錠剤が環状傾斜板１６上に貯留することが出来る大きさであれば良く、それ以外傾斜角は特に限定されない。【選択図】図１
2015163517.tif 000002
【特許請求の範囲】
【請求項１】
口筒部（２）、肩部（３）、胴部（４）および底部（５）から成る容器（１）と、
該口筒部（２）の外周面に組み付く組付き筒部（１１）、該組付き筒部（１１）の上端から径方向内側に延設された環状平坦部（１３）、該環状平坦部（１３）の内周縁から下方に垂下して延設された内筒部（１２）、該内筒部（１２）の内周部から延設された環状傾斜板（１６）および低床部（１６ｂ）、ならびに該内筒部（１２）を閉栓する天板部（１４）を有するキャップ（１０）とを備えた錠剤容器であって、
前記環状傾斜板（１６）は径方向内側に対し上方に傾斜しながらその中央部に内容物が通過可能な貫通穴（１６ａ）を形成すると共に、
前記低床部（１６ｂ）は前記環状傾斜板（１６）に対向し、少なくともその一部分が径方向内側に対し下方に傾斜していることを特徴とする錠剤容器。
【請求項２】
前記キャップ（１０）の天板部（１４）は透明性を有する請求項１に記載の錠剤容器。
【請求項３】
前記キャップ（１０）はヒンジキャップである請求項１又は２に記載の錠剤容器。
【発明の詳細な説明】
【技術分野】
【０００１】
本発明は、必要数の錠剤を安定して取り出すことが出来ると共に必要数以上の余った錠剤を容器内に確実・容易に戻すことが出来る錠剤容器に関するものである。
【背景技術】
【０００２】
飲食し易いように予め所定の形状（例えば球形、長球形、円板形、膨出円板形等）に加工された粒状の医薬品や食品（以下、「錠剤」という。）を収納容器から取り出す方法としては、キャップを開き容器内に指を挿入して取り出すか、或いは容器を反転傾斜させて容器に軽い振動を加え錠剤を容器開口近傍まで移動させ、その状態から更に軽い振動を加え必要数を落下させ手で受け取ることが一般的な方法である。特に、指を容器内部へ挿入して取り出す場合、使用始めにおいては錠剤は胴部上方近傍まで満たされている為、指を容器内部へ深く挿入しなくても取り出すことは容易であるが、残量が少なくなるにつれて、指を容器内部深く挿入する必要が生じてくる。特に、残量が終局間際には、容器内部深く例えば容器の底部付近まで指を挿入する必要が生じてくる。この場合、指先の感覚で錠剤を探し出し摘み出さなければならない為、錠剤を取り出すことは簡単ではなくなる。また、容器の底部付近まで指を挿入する為、指が錠剤だけでなく容器内面にも触れることになり、衛生面の観点からあまり好ましくなかった。
ところで、指を容器内部へ挿入することなく所定量の錠剤を取り出すことが出来るとした容器が知られている（例えば、特許文献１を参照。）。この容器では、容器本体と蓋体との間に筒状の中間連結体が設けられ、その中間連結体の内側開口には、錠剤が貯留する底板が設けられている。その底板は、縦断面で見た場合、底板が先端部分において２つに分岐し蓋体側に反った円弧形状（第１延出部および第２延出部）を成して構成されている。
この容器において錠剤を取り出すには、蓋体が締まった状態で第１延出部（第２延出部）が中間連結体の中で下方に来るように容器を反転傾斜させ、錠剤が蓋体の天板と底板との間に入り込むようにする。そして、容器を元の姿勢に戻すことにより、蓋体と中間連結体との間にあった錠剤の内、第１延出部側にあった錠剤は底板に配置される一方、それ以外の錠剤は容器本体の収納部内へ戻されることになる。そして、蓋体を開け、指で摘んで取り出すか、或いは容器を再度傾斜させることにより錠剤を取り出すこととしている。
【先行技術文献】
【特許文献】
【０００３】
【特許文献１】特開２００６−２４８５６７号公報
【発明の開示】
【発明が解決しようとする課題】
【０００４】
上述した通り、上記錠剤容器では、蓋体が締まった態様で容器を反転傾斜させ元の姿勢に戻すことにより、所定量の錠剤だけが底板上に取り上げられ、そして蓋体を開け、指で摘んで取り出すか、或いは容器を再度傾斜させることにより錠剤を取り出すこととしている。
しかし、上記錠剤容器では、錠剤を取り出す際、錠剤が貯留する底板は蓋体側に反った円弧形状を成している為、錠剤を取り出しにくいという問題がある。
一方、必要数以上の余った錠剤を戻す際、容器を傾斜させ底板から下方へ落として容器内へ戻すものと考えられるが、錠剤を取り出す際と同様に、底板が蓋体側に反った円弧形状を成している為、錠剤が底板から落下しにくい、つまり余った錠剤を容器内に戻しにくいという問題がある。
そこで、本発明は、上記従来技術の課題に鑑みなされたものであって、必要数の錠剤を安定して取り出すことが出来ると共に必要数以上の余った錠剤を容器内に確実・容易に戻すことが出来る錠剤容器を提供することを目的とする。
【課題を解決するための手段】
【０００５】
上記技術的課題を解決するための本発明のうち、請求項１記載の発明の手段は、口筒部、肩部、胴部および底部から成る容器と、
該口筒部の外周面に組み付く組付き筒部、該組付き筒部の上端から径方向内側に延設された環状平坦部、該環状平坦部の内周縁から下方に垂下して延設された内筒部、該内筒部の内周部から延設された環状傾斜板および低床部、ならびに該内筒部を閉栓する天板部を有するキャップとを備えた錠剤容器であって、
前記環状傾斜板は径方向内側に対し上方に傾斜しながら内容物が通過可能な貫通穴を形成すると共に、
前記低床部は前記環状傾斜板に対向し、少なくともその一部分が径方向内側に対し下方に傾斜していることを特徴とする。
【０００６】
請求項１記載の上記構成では、キャップが締まった状態でユーザーが容器を正立状態から反転傾斜（例えば１８０度近く反転傾斜）させて再び正立状態に戻すことにより、錠剤が貫通穴を通過して容器口筒部内側に設けられた環状傾斜板の傾斜および貫通穴によって、必要数を含む所定量の錠剤が環状傾斜板上に貯留されることになる。そして、ユーザーがキャップを開くと、錠剤は容器口筒部内側に設けられた環状傾斜板上に貯留されている為、必要数の錠剤を指先で摘んで容易に取り出すことが出来るようになる。このように、容器を正立状態から反転傾斜させて再び正立状態に戻す動作は、錠剤残量の大小には関係なく更には容器の深さにも関係なく、必要数の錠剤を指先で摘んで容易に取り出すことが出来るようになる。
一方、必要数以上の余った錠剤については、環状傾斜板に対向する所定区間に上記傾斜特性を有する低床部が設けられている為、容器を傾斜させて錠剤を低床部へ誘導して、そして容器を再び正立状態に戻すことにより錠剤を低床部から貫通穴を通して容器内に確実・容易に戻すことが出来るようになる。
【０００７】
請求項２記載の発明の手段は、前記キャップの天板部は透明性を有する、ことにある。
【０００８】
上記構成では、環状傾斜板上に貯留する錠剤をキャップを開けることなく外部から確認することが出来るようになる。これにより、容器の反転傾斜および正立復帰の動作を効率良く行うことができ、その結果、キャップを開けることなく必要数を含む所定量の錠剤を安定に環状傾斜板上に載せることが出来ると共に、必要数以上の余った錠剤は容器を傾斜させて環状傾斜板の低床部へ誘導して、そして容器を再び正立状態に戻すことにより錠剤を低床部から貫通穴を通して容器内に確実・容易に戻すことが出来るようになる。
【０００９】
請求項３記載の発明の手段は、前記キャップはヒンジキャップである。
【００１０】
上記構成では、天板部は組付き筒に一体に連結され、その結果、キャップを容器から分離する必要がなくなり、キャップの紛失が好適に防止されると共にキャップ開閉操作が容易となる。
【発明の効果】
【００１１】
本発明によれば、キャップを閉じた状態で容器全体を正立状態から反転傾斜させて再び正立状態に戻す動作により、必要数を含む所定量の錠剤が環状傾斜板上に貯留され、キャップを開けて必要数の錠剤を容易に取り出すことが出来ると共に、必要数以上の余った錠剤については、環状傾斜板に対向する所定区間に上記傾斜特性を有する低床部が設けられている為、容器を傾斜させて錠剤を低床部へ誘導して、そして容器を再び正立状態に戻すことにより錠剤を低床部から貫通穴を通して容器内に確実・容易に戻すことが出来るようになる。
【図面の簡単な説明】
【００１２】
【図１】本発明の実施例に係る錠剤容器を示す断面説明図である。
【図２】図１（容器）のＡ矢視図である。
【図３】本発明の実施例に係る錠剤容器の錠剤取り出し方法を示す説明図である。
【図４】本発明の実施例に係る錠剤容器の錠剤戻し方法を示す説明図である。
【発明を実施するための形態】
【００１３】
以下、図に示す実施の形態により本発明をさらに詳細に説明する。
【００１４】
図１−２は、本発明の実施例に係る錠剤容器１００を示す説明図である。なお、図１は断面図であり、図２は図１（容器１）のＡ矢視図である。
この錠剤容器１００は、錠剤を収容する容器１と、容器１を開・閉栓するキャップ１０とを具備して構成されている。この錠剤容器１００は、キャップ１０を閉じた状態で容器全体を正立状態から反転傾斜させて再び正立状態に戻すという動作により、必要数を含む所定量の錠剤が後述する環状傾斜板１６上に貯留され、キャップ１０を開けて必要数の錠剤を容易に取り出すことが出来ると共に、必要数以上の余った錠剤については、容器１を傾斜させて錠剤を後述する低床部１６ｂへ誘導して、そして容器１を再び正立状態に戻すことにより錠剤を低床部１６ｂから貫通穴１６ａを通して容器１内に確実・容易に戻すことが出来るように構成されている。
【００１５】
容器１は、例えばポリエチレン樹脂やポリプロピレン樹脂、ポリエステル樹脂などの合成樹脂材料をブロー成形法または射出成形法などにより所定の形状に成形されたもので、口筒部２、肩部３、胴部４および底部５から成る。口筒部２の外周面には、キャップ１０を螺合により装着するための雄ねじ部２ａが形成されている。また、口筒部２の開口は、ユーザーが錠剤を取り出し易いように、径の大きい、いわゆる広口を成している。
【００１６】
キャップ１０は、例えばポリエチレン樹脂やポリプロピレン樹脂、ポリエステル樹脂または透明性を有する合成樹脂材料を射出成形法により所定の形状に成形されたもので、口筒部２に螺合により組み付く組付き筒部１１と、口筒部２の上端面に接合する内筒部１２と、組付き筒部１１と内筒部１２を一体に連結する環状平坦部１３と、内筒部１２の開口を閉栓する天板部１４と、組付き筒部１１と天板部１４を一体に連結するヒンジ部１５と、そして所定量の錠剤が貯留される本発明に係る環状傾斜板１６および必要数以上の余った錠剤を容器１内へ戻すための低床部１６ｂとから成る。
【００１７】
キャップ１０は透明性を有することが好ましく、この場合、キャップ１０を開けずに環状傾斜板１６上に貯留された錠剤を外部から確認することが出来るようになると共に、キャップ１０を開けずに必要数以上の余った錠剤を低床部１６ｂへ誘導することが出来るようになる。
【００１８】
組付き筒部１１の内周面には口筒部２の雄ねじ部２ａと螺合する雌ねじ部１１ａが形成されている。また、組付き筒部１１の上部外周縁には天板部１４の内周縁が嵌る周条段差１１ｂが形成されている。
【００１９】
内筒部１２は、上端において環状平坦部１３と、内周部において環状傾斜板１６とそれぞれ一体に連結し、組付き筒部１１を口筒部２にねじ込んだ際、口筒部２の上端面に接合するように構成されている。なお、内筒部１２の口筒部２に対する結合形態は、環状傾斜板１６が高い位置に保持されるように接合形態であるが、嵌入形態でもあっても良い。
【００２０】
天板部１４は組付き筒部１１にヒンジ結合部１５によって一体に連結されて、キャップ１０が容器１から分離することがないように構成されている。また、天板部１４は、二段円筒構造を成して周条段差１４ａが設けられ、ユーザーがキャップ１０を開閉する際、天板部１４が容易に変形することがないようにしている。
【００２１】
ヒンジ部１５は、ヒンジ１５ａ（図３(c)）とＬ字状ヒンジ１５ｂにより構成されている。特に、Ｌ字状ヒンジ１５ｂは天板部１４の開姿勢（キャップ１０が開いた時）または閉姿勢（キャップ１０が閉じた時）を安定に保持するように機能する。なお、キャップ１０の姿勢を安定に保持するヒンジはＬ字状に限定されない。
【００２２】
環状傾斜板１６は、内筒部１２の内周部から延設され、径方向内側に向かって上方に傾斜してその中央部に貫通穴１６ａが形成されるように構成されている。なお、貫通穴１６ａの径は、錠剤が通過することができ且つ所定量の錠剤が環状傾斜板１６上に貯留することが出来る大きさであれば良く、それ以外貫通穴１６ａの径は特に限定されない。また、環状傾斜板１６の傾斜角についても必要数を含む所定量の錠剤が環状傾斜板上に貯留することが出来る大きさであれば良く、それ以外傾斜角は特に限定されない。
【００２３】
低床部１６ｂは、環状傾斜板１６に対向する所定区間、例えば図２において径方向区間a-a'、周方向区間a'-b'-c'、径方向区間c'-c、および周方向区間c-b-aから成る所定区間（扇形部分）に形成されている。つまり、径方向に係る高さを見た場合、a'の高さ＞aの高さ、b'の高さ＜bの高さ、およびc'の高さ＞cの高さである。他方、周方向に係る高さを見た場合、a'の高さ＞b'の高さ、およびb'の高さ＜c'の高さである。なお、外周縁方向については、aの高さ＝bの高さ＝cの高さである。つまり、低床部１６ｂの傾斜特性は、周方向に沿って径方向区間a-a'から径方向区間b-b'に向かうに従って床が低くなると共に、径方向区間b-b'から径方向区間c-c'に向かうに従って床が高くなるように構成されている。すなわち、低床部１６ｂにおいて径方向区間b-b'の近傍が周方向に沿って極小部分となるように構成されている。
【００２４】
また、環状傾斜板１６および低床部１６ｂは内筒部１２に一体に成形されているが、別体（二体）に成形することも可能である。
【００２５】
図３は、本発明の実施例に係る錠剤容器１００の錠剤取り出し方法を示す説明図である。なお、図１に示すように、キャップ１０は閉じた状態にあるとする。
先ず、図３(a)に示すように、容器全体を反転傾斜させる。錠剤が貫通穴１６ａを通って天板部１４と環状傾斜板１６の間に入り込む。
次に、図３(b)に示すように、容器全体を正立状態に戻す。天板部１４と環状傾斜板１６の間に入り込んだ錠剤の内、環状傾斜板１６の傾斜および貫通穴１６ａによって、必要数を含む所定量の錠剤が環状傾斜板１６上に貯留される。
そして、図３(c)に示すように、キャップ１０（天板部１４）を開栓し、環状傾斜板１６上に貯留する所定量の錠剤の内、必要数の錠剤を指先で摘んで取り出す。
【００２６】
なお、必要数以上の余った錠剤は、図４(a)に示すように、容器１を傾斜させて低床部１６ｂへ誘導して低床部１６ｂ上に錠剤を貯留させる。そして、図４(b)に示すように、容器１を元の姿勢に戻すことにより、錠剤は自重により低床部１６ｂに沿って下方へ滑り落ち、そして貫通穴１６ａから落下して容器１内に戻ることになる。なお、容器１を傾斜させて錠剤を戻す際、キャップ１０は閉じた状態であっても開いた状態であっても、どちらでも良い。
【００２７】
以上、本発明の錠剤容器１００によれば、キャップ１０を閉じた状態で容器全体を正立状態から反転傾斜させて再び正立状態に戻す動作により、必要数を含む所定量の錠剤が環状傾斜板１６上に貯留され、キャップ１０を開けて必要数の錠剤を容易に取り出すことが出来ると共に、必要数以上の余った錠剤については、上記傾斜特性を有する低床部（高低差）１６ｂが設けられている為、容器１を傾斜させて錠剤を低床部１６ｂへ誘導して、そして容器１を再び正立状態に戻すことにより錠剤を低床部１６ｂから貫通穴１６ａを通して容器１内に確実・容易に戻すことが出来るようになる。
【００２８】
以上、本発明の実施例について説明したが、本発明は、上記実施例に限定されるものではなく、本発明の趣旨を逸脱しない範囲において、種々の変更を加えることが可能である。例えば、低床部１６ｂの形成範囲については、必要数を含む所定量の錠剤が環状傾斜板１６上に好適に貯留される限り、種々の拡大または縮小することが可能である。また、貫通穴（１６ａ）は内筒部（１２）に対し偏芯していても良い。また、容器１とキャップ１０はねじ結合しているが、凹凸嵌合して組み付けるようにしても良い。
【産業上の利用可能性】
【００２９】
本発明の錠剤容器は、錠剤を収納する容器に好適に適用される。
【符号の説明】
【００３０】
１                      容器
２                      口筒部
２ａ                    雄ねじ部
３                      肩部
４                      胴部
５                      底部
１０                    キャップ
１１                    組付き筒部
１１ａ                  雌ねじ部
１１ｂ                  周条段差
１２                    内筒部
１３                    環状平坦部
１４                    天板部
１５                    ヒンジ部
１５ａ                  ヒンジ
１５ｂ                  Ｌ字状ヒンジ
１６                    環状傾斜板
１６ａ                  貫通穴
１６ｂ                  低床部
１００                  錠剤容器
【図１】
2015163517.tif 000003
【図２】
2015163517.tif 000004
【図３】
2015163517.tif 000005
【図４】
2015163517.tif 000006